(57)【要約】      （修正有）【課題】イジェクト機構において付勢手段がスライダから外れにくいカード用コネクタを提供する。【解決手段】カードを挿入自在な筐体２を有し、筐体２はカードのイジェクト機構を備え、イジェクト機構は、カードの挿入及び排出に伴いスライド移動するスライダ２０と、スライダ２０をカードの排出方向に付勢する付勢手段２１と、カードの位置に応じてスライダ２０を所定位置に保持あるいはスライド自在とするカム機構とを有し、スライダ２０は、カードの排出時にカム機構によりスライド自在とされて、付勢手段２１の付勢により移動すると共に、規制部１５によって移動端部が規定され、スライダ２０は付勢手段２１を係合取付するフック部３０を備え、フック部３０には規制部１５に当接自在な腕部３３が形成される。【選択図】図４
2010113446.tif 000002
【特許請求の範囲】
【請求項１】
カードを挿入自在な筐体を有し、該筐体は前記カードのイジェクト機構を備えてなるカード用コネクタにおいて、
前記イジェクト機構は、前記カードの挿入及び排出に伴いスライド移動するスライダと、該スライダを前記カードの排出方向に付勢する付勢手段と、前記カードの位置に応じて前記スライダを所定位置に保持あるいはスライド自在とするカム機構とを有し、
前記スライダは、前記カードの排出時に前記カム機構によりスライド自在とされて、前記付勢手段の付勢により移動すると共に、前記規制部によって移動端部が規定され、前記スライダは前記付勢手段を係合取付するフック部を備え、該フック部には前記規制部に当接自在な腕部が形成されることを特徴とするカード用コネクタ。
【請求項２】
前記腕部は前記フック部に対する前記付勢手段の係合方向と交差する方向に伸びる先端部を有することを特徴とする請求項１記載のカード用コネクタ。
【請求項３】
前記フック部は前記筐体の側面と対向する対向面部に前記付勢手段を係合取付し、前記腕部は前記対向面部から前記筐体側に向かって略Ｌ字状に突出することで、前記付勢手段の係合方向と交差する方向に伸びることを特徴とする請求項２記載のカード用コネクタ。
【請求項４】
前記規制部は前記筐体を構成する金属体に一体的に形成され、前記腕部を有するフック部は前記スライダの端部に設けられると共に、金属板を折り曲げ形成してなることを特徴とする請求項１〜３のいずれか１項に記載のカード用コネクタ。
【発明の詳細な説明】
【技術分野】
【０００１】
本発明は、カードを挿入自在として該カードと電気的に接続可能なカード用コネクタに関し、特にカードを挿入状態で保持すると共にカードを押圧することで排出するイジェクト機構を備えたカード用コネクタに関する。
【背景技術】
【０００２】
従来、コンピュータや電子機器等において、記録媒体を搭載したカードや機能を拡張するためのカードを挿入自在とし、カードと電気的に接続をなすカード用コネクタが知られている。カード側には、接続のために電極が露出しており、カード用コネクタには、カードを収納する筐体内にカード側の電極と接触するコンタクトが設けられる。
【０００３】
カード用コネクタには、カードを簡易に固定し、また排出するために、イジェクト機構が設けられる。イジェクト機構は、挿入されたカードを所定位置で保持し、保持されているカードを外方から押圧することにより、これを排出する機構を有している。特許文献１には、イジェクト機構を有したカード用コネクタの例を示しており、この文献に記載されているように、イジェクト機構はカードの挿入、排出に伴ってスライド移動するスライダと、このスライダを排出方向に付勢する付勢手段たるコイルばねと、スライダを所定位置で保持すると共に、カードが押圧された際にはスライダをスライド自在としてコイルばねの付勢力により排出方向にスライドさせるカム機構とを有している。
【特許文献１】特開２００７−６６８３８号公報
【発明の開示】
【発明が解決しようとする課題】
【０００４】
従来のカード用コネクタにおいては、コイルばねの一端部は筐体側に固定され、他端部はスライダの端部に形成された切欠に対して引っ掛かるように係合され、これによってスライダを排出方向に付勢している。しかし、コイルばねが特にカードの排出時において、スライダの端部から外れる恐れもあった。もしコイルばねがスライダから外れると、スライダが付勢されないため、正常なカード排出動作を行うことができなくなる。
【０００５】
本発明は前記課題を鑑みてなされたものであり、イジェクト機構において付勢手段がスライダから外れにくいカード用コネクタを提供することを目的とする。
【課題を解決するための手段】
【０００６】
前記課題を解決するため、本発明に係るカード用コネクタは、カードを挿入自在な筐体を有し、該筐体は前記カードのイジェクト機構を備えてなるカード用コネクタにおいて、
前記イジェクト機構は、前記カードの挿入及び排出に伴いスライド移動するスライダと、該スライダを前記カードの排出方向に付勢する付勢手段と、前記カードの位置に応じて前記スライダを所定位置に保持あるいはスライド自在とするカム機構とを有し、
前記スライダは、前記カードの排出時に前記カム機構によりスライド自在とされて、前記付勢手段の付勢により移動すると共に、前記規制部によって移動端部が規定され、前記スライダは前記付勢手段を係合取付するフック部を備え、該フック部には前記規制部に当接自在な腕部が形成されることを特徴として構成されている。
【０００７】
また、本発明に係るカード用コネクタは、前記腕部は前記フック部に対する前記付勢手段の係合方向と交差する方向に伸びる先端部を有することを特徴として構成されている。
【０００８】
さらに、本発明に係るカード用コネクタは、前記フック部は前記筐体の側面と対向する対向面部に前記付勢手段を係合取付し、前記腕部は前記対向面部から前記筐体側に向かって略Ｌ字状に突出することで、前記付勢手段の係合方向と交差する方向に伸びることを特徴として構成されている。
【０００９】
さらにまた、本発明に係るカード用コネクタは、前記規制部は前記筐体を構成する金属体に一体的に形成され、前記腕部を有するフック部は前記スライダの端部に設けられると共に、金属板を折り曲げ形成してなることを特徴として構成されている。
【発明の効果】
【００１０】
本発明に係るカード用コネクタによれば、イジェクト機構のスライダは、カードの排出時にカム機構によりスライド自在とされて、付勢手段の付勢により移動すると共に、筐体の規制部によって移動端部が規定され、スライダは付勢手段を係合取付するフック部を備え、フック部には規制部に当接自在な腕部が形成されることにより、腕部によってスライダの移動を規制すると共に、フック部に係合取付された付勢手段が外れにくいようにすることができる。
【００１１】
また、本発明に係るカード用コネクタによれば、腕部はフック部に対する付勢手段の係合方向と交差する方向に伸びる先端部を有することにより、付勢手段が一方向に移動しただけではフック部から外れることがなく、付勢手段をより外れにくくすることができる。
【００１２】
さらに、本発明に係るカード用コネクタによれば、フック部は筐体の側面と対向する対向面部に付勢手段を係合取付し、腕部は対向面部から筐体側に向かって略Ｌ字状に突出することで、付勢手段の係合方向と交差する方向に伸びることにより、付勢手段が筐体側に移動することは考えにくいため、スライダに衝撃力が加わった場合であっても付勢手段を外れにくくすることができる。
【００１３】
さらにまた、本発明に係るカード用コネクタによれば、規制部は筐体を構成する金属体に一体的に形成され、腕部を有するフック部はスライダの端部に設けられると共に、金属板を折り曲げ形成してなることにより、金属材同士が当接してスライダの移動を規制するため、スライダの移動規制に必要な強度を確実に確保することができる。
【発明を実施するための最良の形態】
【００１４】
本発明の実施形態について図面に沿って詳細に説明する。図１には、本実施形態におけるカード用コネクタの斜視図を示している。この図では、カード５０を最深部まで挿入する前の状態を表している。図１に示すようにカード用コネクタ１は、カード５０を保持可能な形状からなる筐体２と、筐体２の側面に設けられ挿入されたカード５０を保持すると共に、カード５０が押圧された際にはそれを排出するイジェクト機構３とを有して構成されている。
【００１５】
筐体２は、金属板を折り曲げ形成してなる金属体１１によって構成されている。金属体１１は、折り曲げ形成されることで上面１２と３方向に面する側面１３を有している。また、金属体１１のうち側面１３の形成されていない一面は、開口部１０とされてカード５０が挿入自在となるようにしている。
【００１６】
また、筐体２の内部には、カード５の挿入先端側に設けられる電極（図示しない）と接触するコンタクト（図示しない）が設けられ、カード５を開口部１０から筐体２の最深部まで挿入することで、電極とコンタクトが接触して接続がなされるようにされている。
【００１７】
イジェクト機構３は、筐体２を構成する金属体１１の一つの側面１３に設けられる。このイジェクト機構３は、カード５０と連係してカード５０の挿抜方向にスライド自在なスライダ２０と、スライダ２０をカード５０の排出方向に付勢するコイルばねからなる付勢手段２１と、スライダ２０を所定位置で保持あるいはスライド自在とするカム機構２２とからなっている。
【００１８】
スライダ２０は、筐体２内のカード５０に対して、カード５０の挿入方向に押圧されるように連係している。したがって、スライダ２０はカード５０が挿入されるのに伴ってスライドされ、逆に付勢手段２１の付勢に伴ってスライドすることでカード５０を排出する。また、筐体２を構成する金属体１１の側面１３には、スライダ２０を案内する案内部材２３が設けられる。スライダ２０は、案内部材２３から出没自在にスライドすることができる。
【００１９】
スライダ２０の付勢手段２１側端部には、フック部３０が設けられ、このフック部３０に付勢手段２１の一端部が係合し固定される。また、金属体１１には、付勢手段２１の他端部を係合させ保持するばね保持部１４が折り曲げ形成により一体的に設けられる。付勢手段２１は、一方側が金属体１１に固定され、他方側がスライダ２０に固定されることにより、スライダ２０をカード５０の排出方向に付勢した状態とする。
【００２０】
図２には、カード用コネクタ１のイジェクト機構３側の側面図を示している。この図は、カード５０を最深部まで挿入する前の状態であって、図１の側面図に相当する。また、案内部材２３は省略して表している。図２に示すように、スライダ２０には、ループ状のカム溝２５が形成されており、このカム溝２５に対して係合する駆動ピン２４が案内部材２３に設けられる。これら駆動ピン２４とカム溝２５によって、カム機構２２が構成されている。
【００２１】
駆動ピン２４は、保持端２４ａが案内部材２３に対し揺動自在に保持されると共に、スライダ２０側に付勢された状態とされており、係合端２４ｂがスライダ２０のカム溝２５に対して摺動自在に係合する。スライダ２０がスライドすると、それに伴って駆動ピン２４のカム溝２５に対する係合位置が、カム溝２５に沿って変化する。カム溝２５は、一端部と他端部間に上下２つの経路を有し、カード５０の挿入方向にスライダ２０がスライドした際には、駆動ピン２４の係合端２４ｂは下側の経路を移動する。カード５０を最深部まで挿入して手を離すと、スライダ２０は付勢手段２１の付勢によってカード５０の排出側に若干移動し、それに伴って駆動ピン２４の係合端２４ｂはカム溝２５に形成された保持部２４ｃに移動する。
【００２２】
図３には、カード５０の保持状態におけるカード用コネクタ１のイジェクト機構３側の側面図を示している。この図に示すように、駆動ピン２４の係合端２４ｂがカム溝２５の保持部２４ｃに保持されることで、駆動ピン２４は付勢手段２１の付勢に対抗してスライダ２０を静止状態とする。これに伴い、カード５０は筐体２内で静止すると共に、この状態で電極がコンタクトと接触し、接続される。
【００２３】
次に、フック部３０の構成について、より詳細に説明する。図４には、フック部３０付近の拡大斜視図を示している。フック部３０は、スライダ２０の付勢手段２１側端面から突出するように設けられており、筐体２の側面１３と対向する対向面部３１に切欠３２が形成されている。切欠３２はスライダ２０側の斜め下方に開口し、対向面部３１の中央付近まで傾斜状に切欠かれている。このため、切欠３２は開口部分から端部付近に至る傾斜面部３２ａを対向状に有している。
【００２４】
付勢手段２１の円環部２１ａは、フック部３０の切欠３２に対して、開口側から挿入され、端部において係合し固定される。このため、切欠３２の傾斜面部３２ａは、対向する間隔を円環部２１ａの直径よりやや小さく形成し、切欠３２の端部は円環部２１ａと同等の直径を有する円弧状に形成している。これにより、円環部２１ａに力を加えながら切欠３２に挿入し、切欠３２の端部に係合させることにより、円環部２１ａが切欠３２から抜けにくいようにすることができる。
【００２５】
一方で、例えばカード５０を弾くなどして排出しようとした場合、フック部３０と付勢手段２１の間に衝撃力が加わって、円環部２１ａが切欠３２の開口側に移動する場合がある。この場合に、円環部２１ａがフック部３０から外れないようにするため、フック部３０には腕部３３が設けられている。
【００２６】
腕部３３は、スライダ２０の移動を規制する機能も有しているため、フック部３０の上下にそれぞれ同形状を有するように形成されている。図５には、フック部３０のみの斜視図を示している。この図に示すように、フック部３０の上側の腕部３３は、フック部３０の対向面部３１から上方に伸びる基部３３ａと、基部３３ａから筐体２側に折り曲げられてなる先端部３３ｂとで、略Ｌ字状をなすように形成されている。フック部３０の下側の腕部３３も、フック部３０の対向面部３１から下方に伸びる基部３３ａと、基部３３ａから筐体２側に折り曲げられてなる先端部３３ｂとで、略Ｌ字状をなすように形成されている。
【００２７】
筐体２を構成する金属体１１には、側面１３より外方に突出し、先端部が略Ｌ字状に折り曲げ形成されて、スライダ２０のスライド方向に面する当接面部１５ａを有した規制部１５が形成されている。カード５０が排出状態にある場合、図４に示すように上下の腕部３３は、それぞれ端面３３ｃが規制部１５の当接面部１５ａに当接している。前述のように、フック部３０が設けられたスライダ２０は、付勢手段２１によってカード５０の排出方向に付勢されており、腕部３３の端面３３ｃが規制部１５の当接面部１５ａに当接することによって、付勢手段２１の付勢に対抗してスライダ２０がそれ以上スライドしないように、移動範囲を規制することができる。
【００２８】
また、規制部１５と腕部３３は、いずれも金属板を折り曲げ形成してなり、これらが当接することによってスライダ２０の移動が規制されるため、スライダ２０の移動を規制するために必要な強度を確実に確保することができる。
【００２９】
フック部３０の下側の腕部３３は、切欠３２の開口端部から下方に伸びると共に、先端部３３ｂが、付勢手段２１の円環部２１ａが係合する方向と交差する方向である筐体２側の方向に向かって伸びている。このため、付勢手段２１の円環部２１ａが切欠３２から外れる方向、すなわち斜め下方に向かって移動したとしても、円環部２１ａがフック部３０から外れるためには、さらに筐体２側に向きを変えて移動する必要があり、そのような移動をすることは、衝撃力が加わった場合であっても通常考えられない。
【００３０】
図６には、フック部３０付近の拡大斜視図であって、円環部２１ａが切欠３２から外れた状態の図を示している。この図に示すように、円環部２１ａが切欠３２から外れても、腕部３３の位置で円環部２１ａはフック部３０に保持された状態を保つため、付勢手段２１がフック部３０から外れることなく、スライダ２０に対する付勢状態を維持することができる。
【００３１】
このように、フック部３０に筐体２側に向かう腕部３３を設けたことにより、腕部３３の端面３３ｃによってスライダ２０の移動を規制することができると共に、付勢手段２１がフック部３０から抜けにくいようにすることができ、カード用コネクタ１に確実な動作を行わせることができる。
【００３２】
以上、本発明の実施形態について説明したが、本発明の適用は本実施形態には限られず、その技術的思想の範囲内において様々に適用されうるものである。
【図面の簡単な説明】
【００３３】
【図１】本実施形態におけるカード用コネクタの斜視図である。
【図２】カード用コネクタのイジェクト機構側の側面図である。
【図３】カードの保持状態におけるカード用コネクタのイジェクト機構側の側面図である。
【図４】フック部付近の拡大斜視図である。
【図５】フック部のみの拡大斜視図である。
【図６】フック部付近の拡大斜視図であって、円環部が切欠から外れた状態の図である。
【符号の説明】
【００３４】
１    カード用コネクタ
２    筐体
３    イジェクト機構
１０    開口部
１１    金属体
１４    ばね保持部
１５    規制部
２０    スライダ
２１    付勢手段
２１ａ  円環部
２２    カム機構
２３    案内部材
２４    駆動ピン
２５    カム溝
３０    フック部
３１    対向面部
３２    切欠
３３    腕部
５０    カード
【図１】
2010113446.tif 000003
【図２】
2010113446.tif 000004
【図３】
2010113446.tif 000005
【図４】
2010113446.tif 000006
【図５】
2010113446.tif 000007
【図６】
2010113446.tif 000008